(57)【要約】本発明は、ディスプレイにデータを表示する装置であって、電気泳動表示デバイスと、記憶デバイスと、ユーザ入力手段と、前記記憶デバイスからデータを取り出し、表示するために前記表示デバイスに前記取り出されたデータを送る中央処理ユニットとを有する装置に関する。有利には、前記記憶デバイスは２５ミリメートルないし５０ミリメートルの直径を持つリムーバブル光学ディスクからデータを読み取るディスクドライブである。前記装置は電子ブックとして使用されることができる。
2006519413.tif 000002
【特許請求の範囲】
【請求項１】
ディスプレイにデータを表示する装置において、電気泳動表示デバイスと、記憶デバイスと、ユーザ入力手段と、中央処理ユニットであって、
（ａ）前記記憶デバイスからデータを取り出し、
（ｂ）前記取り出されたデータを表示する前記表示デバイスに送る、
当該中央処理ユニットとを有する装置。
【請求項２】
前記記憶デバイスが、２５ミリメートルないし５０ミリメートルの直径を持つ光学ディスクからデータを読み取るディスクドライブである、請求項１に記載の装置。
【請求項３】
前記記憶デバイスが、３０ミリメートル以下の直径を持つ光学ディスクからデータを読み取るディスクドライブである、請求項２に記載の装置。
【請求項４】
前記表示デバイスが、
（ａ）電気泳動粒子と、
（ｂ）画素電極を有する表示素子と、
（ｃ）間に前記電気泳動粒子の一部が存在する対向電極と、
（ｄ）前記表示素子を表示されるべき画像情報に対応する所定の光学状態にするために前記電極に駆動信号を供給する制御手段と、
を有し、
前記制御手段が更に、前記駆動信号に先行するプリセット信号であって、第１光学状態に対応する前記２つの電極の一方の近くの第１の位置における前記電気泳動粒子を解放するのに十分であるが、前記粒子が第２光学状態に対応する他方の電極の近くの第２の位置に到達することを可能にするには低すぎるエネルギを表すプリセットパルスを有する当該プリセット信号を供給するように構成される、請求項１、２又は３に記載の装置。
【請求項５】
前記プリセットパルスの持続時間が、２つの続いて起こる画像更新の間の時間間隔より１桁小さい、請求項４に記載の装置。
【請求項６】
前記制御手段が更に、負又は正の極性を持つ前記プリセットパルスを生成し、負又は正の極性を持つパルスを有する前記駆動信号を生成するように構成され、前記プリセットパルスの極性が前記データ信号の前記パルスの極性と反対である、請求項４に記載の装置。
【請求項７】
前記制御手段が更に偶数個のプリセットパルスを生成するように構成される、請求項６に記載の装置。
【請求項８】
前記電極の一方がデータ電極を有し、前記他方の電極が選択電極を有し、前記制御手段が更に、選択信号を前記選択電極に印加する第１駆動手段と、データ信号を前記データ電極に印加する第２駆動手段とを有する、請求項４に記載の装置。
【請求項９】
前記表示素子の前記画素電極が切り替え素子を介して選択電極又はデータ電極に結合され、前記制御手段が更に、選択信号を前記選択電極に印加する第１駆動手段と、データ信号を前記データ電極に印加する第２駆動手段とを有する、請求項４に記載の装置。
【請求項１０】
前記表示素子に関連した選択電極が２つのグループ内で相互接続され、前記制御手段が第１グループに対して第１位相を有する第１プリセット信号を生成し、第２グループに対して前記第１位相と反対の第２位相を有する第２リセット信号を生成するように構成される、請求項８又は９に記載の装置。
【請求項１１】
前記第２駆動手段が前記プリセット信号を生成するように構成される、請求項８又は９に記載の装置。
【請求項１２】
前記画素電極が前記対抗電極を介して前記プリセット信号を生成する前記制御手段に結合される、請求項８又は９に記載の装置。
【請求項１３】
前記対向電極が２つの部分に分割され、各部分が選択電極を介して接続された前記表示素子のセットに関連付けられる、請求項１２に記載の装置。
【請求項１４】
前記画素電極が、前記プリセット信号を受けるために第１追加容量素子を介して前記制御手段に結合される、請求項９に記載の装置。
【請求項１５】
前記画素電極が他の切り替え素子を介して前記制御手段に結合される、請求項９に記載の装置。
【請求項１６】
前記ディスプレイが２つの基板を有し、前記２つの基板の一方が透明であり、前記電気泳動粒子が前記２つの基板の間に存在する、請求項４に記載の装置。
【請求項１７】
前記電気泳動粒子の材料が被包性電気泳動材料である、請求項４に記載の装置。
【請求項１８】
前記データが電子形式の本である、請求項１、２又は３に記載の装置。
【請求項１９】
前記表示デバイスが、前記装置を制御するタッチスクリーン機能を有する、請求項１、２又は３に記載の装置。
【発明の詳細な説明】
【技術分野】
【０００１】
本発明は、ディスプレイにデータを表示する装置であって、電気泳動表示デバイスを有する装置に関する。
【背景技術】
【０００２】
電気泳動ディスプレイは、国際特許出願公開公報ＷＯ９９／５３３７３から既知である。この特許出願は２つの基板を有する電子インクディスプレイを開示し、前記基板の一方は透明であり、他方は行及び列に配置された電極を備える。行電極及び列電極の交差は、表示素子に関連付けられる。前記表示素子は、薄膜トランジスタ（ＴＦＴ）を介して前記列電極に結合され、前記トランジスタのゲートは前記行電極に結合される。この表示素子と、ＴＦＴトランジスタと、行及び列電極との配置は、アクティブマトリクスを形成する。更に、前記表示素子は画素電極を有する。行ドライバは表示素子の行を選択し、列ドライバは前記列電極及び前記ＴＦＴトランジスタを介して前記選択された行の表示素子にデータ信号を供給する。前記データ信号は表示されるべきグラフィックデータに対応する。
【０００３】
更に、電子インクは前記画素電極と前記透明基板に設けられたコモン電極との間に備えられる。前記電子インクは約１０ないし５０ミクロンの複数のマイクロカプセルを有する。各マイクロカプセルは、液体中を漂っている正に帯電した白い粒子と負に帯電した黒い粒子とを有する。負の電場が前記コモン電極に印加される場合、前記白い粒子が前記マイクロカプセルの前記透明基板に向けられた側に移動し、前記表示素子は見る人に対して見えるようになる。同時に、前記黒い粒子は、前記見る人から隠れた前記マイクロカプセルの反対側の前記画素電極に移動する。前記コモン電極に正の電場を印加することにより、前記黒い粒子は、前記マイクロカプセルの前記透明基板に向けられた側における前記コモン電極に移動し、前記表示素子は見る人に対して暗く見える。前記電場が除去される場合、前記表示デバイスは、取得された状態を保ち、双安定特性を示す。
【０００４】
グレースケールは、前記マイクロカプセルの上の対向電極に移動する粒子の量を制御することにより前記表示デバイスにおいて作成されることができる。例えば、電場強度及び印加の時間の積として定義される前記正又は負の電場のエネルギは、前記マイクロカプセルの上に移動する粒子の量を制御する。
【０００５】
既知の表示デバイスは、いわゆる滞留時間を持つ。この滞留時間は、前の画像更新と新しい画像更新との間の間隔として定義される。
【０００６】
既存のディスプレイの不利点は、不正確なグレースケール再生を引き起こすアンダードライブ効果（underdrive effect）を示すことである。このアンダードライブ効果は、例えば、前記表示デバイスの初期状態が黒であり、前記表示デバイスが周期的に白状態と黒状態との間で切り替えられる場合に生じる。例えば、数秒の滞留時間後に、前記表示デバイスは、２００ｍｓの間隔に対して負の電場を印加することにより白に切り替えられる。次の間隔において、電場が２００ｍｓ印加されず、前記ディスプレイは白を保ち、次の間隔において、正の電場が２００ｍｓ印加され、前記ディスプレイは黒に切り替えられる。系列の第１パルスの応答としての前記ディスプレイの輝度は、数パルス後に再生されることができる所望の最大輝度より低い。
【０００７】
冒頭の段落に述べられた装置の不利点は、データを記憶する記憶デバイスを備えていないことである。これは、前記デバイスが例えば携帯型電子ブックとして持ち運ばれる場合に、別の記憶デバイスが前記装置に取り付けられなければならないことを意味する。これは前記装置の携帯性を妨げる。
【発明の開示】
【発明が解決しようとする課題】
【０００８】
本発明の目的は、携帯性を向上した電気泳動表示デバイスを有するディスプレイにデータを表示する装置を提供することである。
【課題を解決するための手段】
【０００９】
この目的を達成するために、本発明の第１の態様は請求項１に記載された装置を提供する。
【００１０】
このようなデバイスの利点は、電気泳動表示デバイスにデータを表示するシステムに対して携帯性の問題の解決策を提供するのに必要な全ての構成要素、前記電気泳動表示デバイス自体及び前記データが記憶されるメモリが、単一の装置により構成されることである。これは前記システムの携帯性を向上し、したがって本発明による装置は、従来技術により提供されるシステムに対して向上された携帯性を有する。
【００１１】
本発明の更に有利な実施例は、従属請求項に記載される。
【００１２】
請求項３に記載される実施例において、前記記憶デバイスは、直径３センチメートル以下の光学ディスクからデータを読み取るディスクドライブである。
【００１３】
このようなデバイスの利点は、比較的小さな光学ディスクドライブを有することである。前記ディスクの直径は、コンパクトディスク又はデジタル多用途ディスクのような従来の光学ディスクの直径の４分の１であり、−理論的には−この小さな光学ディスクに対するディスクドライブにより費やされる前記装置の表面積／設置面積は、従来の光学ディスクドライブの表面積／設置面積のたった１６分の１であることを意味する。したがって、この実施例は、前記システムの携帯性を向上し、したがって前記装置の携帯性を更に向上する。
【００１４】
請求項４に記載される実施例において、前記表示デバイスは、電気泳動粒子と、画素電極を有する表示素子と、間に前記電気泳動粒子の一部が存在する対向電極と、前記電極に駆動信号を供給して前記表示素子を表示されるべき画像情報に対応する所定の光学状態にする制御手段とを有し、前記制御手段は更に前記駆動信号に先行するプリセット信号を供給するように構成され、前記プリセット信号は、第１光学状態に対応する前記２つの電極の一方の近くの第１の位置における前記電気泳動粒子を解放するのに十分であるエネルギであるが、前記粒子が第２光学状態に対応する他方の電極の近くの第２の位置に到達するには低すぎる当該エネルギを表すプリセットパルスを有する。
【００１５】
請求項４に記載される前記実施例は、光学応答が前記表示素子の履歴に依存するという認識に基づく。本願発明者は、前記２つの電極の一方における静止状態から前記電気泳動粒子を解放するのに十分であるが、前記電極の他方に到達するには低すぎるエネルギを表すパルスを有するプリセット信号が前記駆動信号の前に前記画素電極に供給される場合に、前記アンダードライブ効果が減少されることを観測した。減少されたアンダードライブ効果のため、同一のデータ信号に対する光学応答は、前記表示デバイスの履歴、特に滞留時間にかかわらず、実質的に等しい。根本的な機構は、前記表示デバイスが所定の状態、例えば黒状態に切り替えられた後に前記電気泳動粒子が静止状態になり、白状態への次の切り替えが存在する場合に前記粒子の開始速度がゼロに近いために前記粒子のモーメントが低いと説明されることができる。これは結果として長い切り替え時間を生じる。前記プリセットパルスの印加は、前記電気泳動粒子のモーメントを増加し、したがって前記切り替え時間を短縮する。
【００１６】
更に他の利点は、従来の電子インク表示デバイスが大きな参照テーブル及び複数の以前のフレームを記憶し、新しいフレームのデータパルスを生成する大規模な信号処理回路を必要とするのに対し、前記プリセットパルスの印加が実質的に前記電子インクの以前の履歴を消去することである。
【００１７】
このようなプリセットパルスは、２つの続いて起こる画像更新の間の時間間隔より１桁小さい持続時間を持つことができる。画像更新は、前記表示デバイスの画像情報が書き換えられる又はリフレッシュされる時刻である。
【００１８】
請求項６に記載される実施例において、前記表示デバイスの電力損失は、ただ単一のプリセットパルスを印加することにより最小化されることができる。
【００１９】
請求項７に記載される実施例において、偶数個の反対の極性のプリセットパルスからなるプリセット信号は、前記表示デバイスの前記プリセットパルスの視認性及びＤＣ成分を最小化するように生成されることができる。一方が正の極性を有し、一方が負の極性を有する２つのプリセットパルスは、この動作モード内の前記表示デバイスの電力損失を最小化する。
【００２０】
請求項８に記載される実施例において、前記電極はパッシブマトリクスディスプレイを形成するように構成される。
【００２１】
請求項９に記載される実施例において、前記表示デバイスは前記表示素子の画素電極にデータ信号を供給するためにアドレスするアクティブマトリクスを備える。
【００２２】
請求項１０に記載される実施例において、前記表示素子は２つ以上のグループに相互接続され、異なる極性を持つプリセットパルスが画面の異なる部分に供給される。例えば、単一のフレームアドレス期間内に前記プリセットパルスが正の極性で全ての偶数行に印加され、負の極性で全ての奇数行に印加される場合に、前記表示デバイスの隣接した行は交互に明るく及び暗く見え、前記プリセットパルスの正及び負の極性は次のフレームアドレス期間に反転され、この結果、目が前記ディスプレイ上の（空間統合）及び次のフレームの（時間平均）両方のこれらの短い輝度揺らぎを統合するので、知覚的外観はほとんど影響を受けない。この原理は、フリッカを減少した液晶ディスプレイを駆動する方法のライン反転の原理と同様である。
【００２３】
請求項１１に記載される実施例において、前記プリセット信号は、第２駆動手段において生成され、例えば第１駆動手段により一度に全ての偶数行を選択し、次に全ての奇数行を選択することにより同時に前記画素電極に印加される。この実施例は前記基板上に追加の電子機器を必要としない。
【００２４】
請求項１２に記載される実施例において、前記プリセット信号は、前記対抗電極を介して前記画素電極に直接的に印加される。この構成の利点は、この場合に必要とされる容量が、前記行又は列電極がアドレスされる場合より少ないので、電力消費が少ないことである。
【００２５】
請求項１３に記載される実施例において、前記対向電極は前記プリセットパルスの視認性を減少するために複数の部分に分割される。
【００２６】
請求項１４に記載される実施例において、前記画素電極は第１の追加容量素子を介して結合される。前記画素電極上の電圧パルスは、ここで画素容量と前記第１の追加容量素子との比として定義されることができる。前記画素容量は、前記画素電極と前記透明基板との間の材料の内在する容量である。特にE-Ink Corporationにより供給される被包性電気泳動材料と組み合わせると、前記画素容量と比較して大きな値を持つように前記第１の追加容量素子が選択される場合に、前記プリセット信号は実質的に前記画素電極に伝送され、これは電力消費を減少するので、この実施例は有利であることができる。
【００２７】
更に、前記画素容量は異なる印加されたグレーレベルに対して大幅には変化しない。したがって、前記画素電極上の前記プリセットパルスは全ての表示素子に対して実質的に等しく、前記印加されたグレーレベルに関連しない。
【００２８】
請求項１５に記載される実施例において、前記画素素子は他の切り替え素子を介して前記制御手段に結合される。前記他の切り替え素子は、前記表示素子の２つ以上のグループへの分割を可能にする。
【００２９】
請求項１９に記載される実施例において、前記表示デバイスは前記装置を制御するタッチスクリーン機能を有する。
【００３０】
この実施例の利点は、ユーザが前記タッチスクリーンを用いて前記装置と相互作用することができるので、本発明のこの実施例による前記装置を制御する物理的なボタンが省略されることができることである。
【００３１】
本発明のこれら及び他の態様は、下に記載される実施例を参照して明らかになり、説明される。
【００３２】
図は概略的であり、正しい縮尺比には描かれておらず、一般に、同様な参照符号は同様の部分を示す。
【発明を実施するための最良の形態】
【００３３】
図１は、例えば少数の表示素子のサイズの電気泳動表示デバイス１の一部の概略的な断面図であり、表示デバイス１は、ベース基板２と、例えばポリエチレンの２つの透明基板３と４との間に存在する電子インクを有する電気泳動フィルムとを有し、前記基板の一方３は透明画素電極５を備え、他方の基板４は透明対向電極６を備える。前記電子インクは約１０ないし５０ミクロンの複数のマイクロカプセル７を有する。各マイクロカプセル７は、液体１０中を漂っている正に帯電した白い粒子８と負に帯電した黒い粒子９とを有する。負の電場が対向電極６に印加される場合に、白い粒子８は、マイクロカプセル７の対向電極６に向けられた側に移動し、前記表示素子は見る人に対して見えるようになる。同時に、黒い粒子９は前記見る人から隠れるマイクロカプセル７の反対側に移動する。正の電場を対向電極６に印加することにより、黒い粒子９は、マイクロカプセル７の対抗電極６に向けられた側に移動し、前記表示素子は見る人にとって暗くなる（図示されない）。前記電場が取り除かれる場合、粒子８及び９は取得された状態を保ち、前記ディスプレイは双安定特性を示し、実質的に電極を消費しない。
【００３４】
図２は、アクティブ切り替え素子と、行ドライバ１６と、列ドライバ１０とを備えたベース基板２上にラミネートされた電気泳動フィルムを有する画像表示デバイスの等価回路を概略的に示す。好ましくは、対向電極６は、前記被包性電気泳動インクを有するフィルムに設けられるが、代替的に面内電場を使用して動作する場合にはベース基板に設けられることができる。表示デバイス１は、アクティブ切り替え素子、本例においては薄膜トランジスタ１９により駆動される。これは、行又は選択電極１７と列又はデータ電極１１との交差の領域における表示素子のマトリクスを有する。行ドライバ１６は連続して行電極１７を選択し、列ドライバ１０は列電極１１にデータ信号を供給する。好ましくは、プロセッサ１５は、初めに入力データ１３を前記データ信号に処理する。列ドライバ１０と行ドライバ１６との間の相互同期化は駆動ライン１２を介して行われる。行ドライバ１６からの選択信号は薄膜トランジスタ１９を介して画素電極２２を選択し、薄膜トランジスタ１９のゲート電極２０は行電極１７に電気的に接続され、ソース電極２１は列電極１１に電気的に接続される。列電極１１に存在するデータ信号は前記ＴＦＴを介してドレイン電極に結合された前記表示素子の画素電極２２に転送される。本実施例において、図１の前記表示デバイスは各表示素子１８の位置に追加のキャパシタ２３をも有する。本実施例において、追加のキャパシタ２３は１つ又は複数の蓄積キャパシタライン２４に接続される。ＴＦＴの代わりに、ダイオード及びＭＩＭ等のような他の切り替え素子が利用されることができる。
【００３５】
図３及び４は、従来の表示デバイスの駆動信号を示す。時刻t0において、行電極１７は選択信号Vselを用いて電圧を印加され（図１）、同時にデータ信号Vdは列電極１１に供給される。ライン選択時間tLが経過した後に、次の行電極１７が時刻t1に選択され、以下同様である。ある時間、例えば１フィールド時間又はフレーム時間、通常は１６.７ｍｓｅｃ又は２０ｍｓｅｃ後に、行電極１７は再び時刻t2に選択信号Vselを用いて電圧を印加され、同時にデータ信号Vdは変化しない画像の場合に列電極１１に与えられる。選択時間tLが経過した後に、次の行電極が時刻t3に選択される。これは時刻t4から繰り返される。前記表示デバイスの双安定特性のため、前記電気泳動粒子は選択された状態を保ち、前記データ信号の繰り返しは、所望のグレーレベルが得られる数フレーム時間後に停止されることができる。通常は、画像更新時間は数フレームである。
【００３６】
図５は、数秒の滞留時間後に交互の極性のパルスを有するデータ信号５０に対する図２の前記表示デバイスの表示素子の光学応答を表す第１信号５１を示す。図５において、光学応答５１は----により示され、前記データ信号は＿＿により示される。データ信号５０の各パルス５２は２００ｍｓの持続時間及び交互の正負１５Ｖの電圧を有する。図５は、第１の負のパルス５２の後の光学応答５１が、第３又は第４の負のパルスの後のみに得られる所望のグレーレベルではないことを示す。
【００３７】
前記データ信号で前記所望のグレーレベルの精度を向上するために、プロセッサ１５は、パルス時間が典型的には、２つの画像更新の間の間隔が２００ｍｓである場合に画像更新と次の画像更新との間の間隔より５ないし１０倍短い場合に、次のリフレッシュフィールドのデータパルスの前に単一のプリセットパルス又はプリセットパルスの系列を生成する。プリセットパルスの持続時間は典型的には２０ｍｓである。
【００３８】
図６は、１２個の２０ｍｓのプリセットパルスの系列及び正負１５Ｖの交互の極性の電圧を有する２００ｍｓのデータパルスの応答として図２の前記表示デバイスのデータ信号６０の光学応答を示す。図６において、光学応答５１は----により示され、向上された光学応答６１は-・-・-・-・-により示され、前記データ信号は＿＿により示される。前記プリセットパルスの系列は、交互の極性の１２個のパルスからなる。各パルスの電圧はプラス又はマイナス１５Ｖである。図６はグレースケール精度の大幅な増加を示し、光学応答６１は、第４データパルス５５の後の前記光学応答と実質的に等しいレベルにある。しかしながら、光学応答５６を見ると、前記プリセットパルスにより取り込まれたフリッカは見えるようになる可能性がある。このフリッカの視認性を減少するために、プロセッサ１５及び行ドライバ１６は、表示素子と結合された行電極１７が２つのグループ内で相互接続されるように構成されることができ、プロセッサ１５及び列ドライバ１０は、前記表示素子の第１グループに対して第１位相を持つ第１プリセット信号及び前記表示素子の第２グループに対して第２位相を持つ第２プリセット信号を生成することにより反転スキームを実行するように構成され、ここで前記第２位相は前記第１位相の反対である。代替的に、複数のグループが定められることができ、このためにリセットパルスが異なる位相で供給される。例えば、行電極１７は、偶数行のグループと奇数行のグループとの２つのグループ内で相互接続されることができ、前記プロセッサは、前記偶数行の表示素子に対する負のパルスで開始する正負１５Ｖの交互の極性の６つのプリセットパルスからなる第１プリセット信号と、前記奇数行の表示素子に対する負のパルスで開始する正負１５Ｖの交互の極性の６つのプリセットパルスからなる第２プリセット信号を生成する。
【００３９】
図７は、反転スキームを示す２つのグラフを示す。第１のグラフ７１は、偶数行ｎの表示素子に供給される６つの２０ｍｓのプリセットパルスからなる第１プリセット信号と、奇数行ｎ＋１の表示素子に供給される６つの２０ｍｓのプリセットパルスからなる第２プリセット信号とに関し、ここで前記第２プリセット信号の位相は前記第１プリセット信号の位相と反対である。前記パルスの電圧は正負１５Ｖの間で交互に繰り返す。
【００４０】
２つ以上の異なる行グループに印加される前記プリセットパルスの系列の代わりに、前記表示素子は、２つの列グループ、例えば偶数列のグループと奇数列のグループとに分割されることができ、プロセッサ１５は前記偶数列の表示素子に対する負のパルスで開始する正負１５Ｖの交互の極性の６つのプリセットパルスからなる第１プリセット信号と、前記奇数行の表示素子に対する正のパルスで開始する正負１５Ｖの交互の極性の６つのプリセットパルスからなる第２プリセット信号とを生成することにより反転スキームを実行する。ここで、全ての行が同時に選択されることができる。他の実施例において、前述の反転スキームは、更に光学フリッカを減少するいわゆるドット反転スキームを生成するために行及び列の両方に同時に供給されることができる。
【００４１】
他の実施例において、対向電極８０は、光学フリッカを減少するために図８に示される相互デジタル化櫛構造（interdigitized comb structures）８１及び８３として成形される。この種の電極は当業者に周知である。２つの対向電極８１及び８３はプロセッサ１５の２つの出力部８５及び８７に結合される。更に、プロセッサ１５は、画素電極２３を０Ｖに保持する間に、第１櫛構造８１に対する負のパルスで開始する正負１５Ｖの交互の極性の６つの２０ｍｓのプリセットパルスからなる第１プリセット信号と、第２櫛構造８３に対する正のパルスで開始する正負１５Ｖの交互の極性の６つの２０ｍｓのプリセットからなる第２プリセット信号とを供給することにより反転スキームを生成するように構成される。前記プリセットパルスが供給された後に、２つの櫛構造８１及び８３は、新しいデータが前記表示デバイスに供給される前に互いに接続されることができる。
【００４２】
他の実施例において、前記プリセットパルスは、追加の蓄積キャパシタ２３と画素容量１８との間の電荷共有により追加の蓄積キャパシタ２３を介してプロセッサ１５により印加されることができる。本実施例において、前記表示素子の行における前記蓄積キャパシタは、蓄積キャパシタラインを介して互いに接続され、行ドライバ１６は２つのグループ内で互いにこれらの蓄積キャパシタラインを相互接続するように構成され、２つのグループ、即ち表示画素の偶数行に関する第１グループと表示素子の奇数行に関する第２グループとに対して前記プリセットパルスの反転を可能にする。新しいデータが前記表示素子に供給される前にグレースケール再生を向上するために、前記行ドライバは前記第１グループに対する交互の極性の６つのプリセットパルスからなる第１プリセット信号と、前記第２グループに対する交互の極性の６つのプリセットパルスからなる第２プリセット信号とを生成することにより反転スキームを実行し、ここで前記第２信号の位相は前記第１信号の位相と反対である。前記プリセットパルスが前記表示素子に供給された後に、前記蓄積キャパシタは、前記新しいデータが前記表示素子に供給される前に接地されることができる。
【００４３】
他の実施例において、前記プリセットパルスは、図９に示される専用プリセットパルスライン９５にソースを介して結合した追加の薄膜トランジスタ９０を介してプロセッサ１５により画素電極２２に直接的に印加されることができる。ドレイン９２は画素電極２２に結合される。ゲート９１は、別個のプリセットパルスアドレシングライン９３を介して行ドライバ１６に結合される。アドレシングＴＦＴ１９は、例えば行電極１７を０Ｖにセットすることにより非導通でなければならない。
【００４４】
前記プリセット信号が全ての表示素子に同時に印加される場合に、フリッカが生じる可能性がある。したがって、プリセット信号反転は、追加の薄膜トランジスタ９０を２つのグループ、即ち偶数行の表示素子に接続されたグループと奇数行の表示素子に接続されたグループとに分割することにより適用される。ＴＦＴ９０の両方のグループが、別々にアドレス可能であり、プリセットパルスライン９５に接続される。プロセッサ１５は、例えば、プリセットパルスライン９５を介してＴＦＴ９０の前記第１グループに対する交互の極性の電圧１５Ｖ及び２０ｍｓの６つのプリセットパルスからなる第１プリセット信号と、ＴＦＴ９０の前記第２グループに対する交互の極性の２０ｍｓの電圧及び２０ｍｓの６つのプリセットパルスからなる第２プリセット信号とを生成することにより反転スキームを実行し、ここで前記第２信号の位相は前記第１信号の位相と反対である。代わりに、同時にアドレス可能なＴＦＴの単一のセットは、反転されたプリセットパルスを持つ２つの異なるプリセットパルスラインに取り付けられることができる。
【００４５】
前記プリセット信号がＴＦＴ９０に供給された後に、前記ＴＦＴは、新しいデータが列ドライバ１０を介して供給される前にオフにされる。
【００４６】
更に、他の電力減少は、プリセットパルス周期中に画素電極を充電及び放電するのに使用される電力を減少するために（反転）プリセットパルスシーケンスに周知の電荷再利用技術の何れかを適用することにより記載された実施例において可能である。
【００４７】
高輝度及び高コントラスト比のために、上述の表示デバイスは、ユーザに対するテキストの表示に非常に適している。更に、このようなディスプレイは、重量が軽く、−既に述べたように−低電力であり、例えば画像がメモリに記憶されるテキストブックの携帯型レンダリングのような携帯型の応用に非常に適している。この応用例は電子ブックとして既知である。
【００４８】
携帯型デバイスの最も重要なフィーチャの１つは、サイズ及び重量である。したがって、本発明による前記装置が有するメモリ又はディスクドライブは小さく且つ軽くなければならない。このようなデバイスは半導体メモリとして得られる。しかしながら、問題は、このようなメモリが比較的高価であり、比較的少量のデータしか運ぶことができないことである。
【００４９】
現在、ハードディスクドライブはコンパクトフラッシュカードのサイズで市販されている。しかしながら、この種のドライブは、標準のハードディスクドライブ（３.５インチ、約８９ミリメートル）のような標準の大容量記憶ソリューションと比較して依然として比較的高価である。
【００５０】
安価な大容量記憶メモリは、コンパクトディスクのような光学ディスクとして得られる。しかしながら、ＣＤドライブはかなり大きく且つ重い。携帯型ＣＤプレーヤが市販されているが、洋服のポケットに収めるには依然として大きすぎる。電子形式での本の表示は、好ましくは６インチ、約１５センチメートルの対角線を持つ電気泳動ディスプレイ上で行われる。これは、約９センチメートル×１２センチメートルの辺を持つディスプレイを生じる。前記ディスプレイが実際には前記装置の最も重要な部分であり、前記メモリは単に付加的なボリュームであるのに、ＣＤのサイズは既に直径１２センチメートルであるので、前記ドライブは前記ディスプレイより更に多くの空間を占める。
【００５１】
したがって、２５ミリメートルないし５０ミリメートル、好ましくは約３センチメートルの直径を持つ光学ディスクからデータを読み取る小さなディスクドライブを使用することは有利である。前記ディスクは好ましくはリムーバブル光学ディスクである。このような小さなディスク及びディスクドライブの実施例は、http://www.cd-rw.orgに開示されている。現在、５.６×３.４×０.７５立方センチメートルのプロトタイプのドライブが、３センチメートルの直径を持つディスクに対して可能である。このような光学ディスクの主要な利点は、これらの媒体が低い製造労力で非常に低コストで製造されることができるので、事前に記録されたコンテンツに対する安価な流通媒体を提供することである。これは、複製が容易に作成され、流通されることができることをも意味する。これは、特に電子ブックにおけるこのようなディスクに対するディスクドライブの適用に関連する。
【００５２】
小さなスポットサイズに対する高開口数のレンズシステムと組み合わせて前記小さな光学ディスクからデータを読み出し及び／又は書き込むのに青色レーザを使用して、高データ密度が達成されることができ（３ｃｍ直径のディスクに対して１ギガバイト）、低価格なメガバイト当たりの記憶容量をもたらす。これは、提示された小さな光学ドライブに関する情報が、消費者に対して安価な使い捨ての読取専用メモリデータ担体として提示されることさえできる。
【００５３】
図１０は、本発明による装置の実施例として装置１００を示す。装置１００は小さな光学ディスク１４０を受け、且つ小さな光学ディスク１４０からデータを取り出すディスクドライブ１２０と、小さな光学ディスク１４０から取り出されたデータを変換するビデオプロセッサと、前記変換されたデータをレンダリングする電気泳動表示デバイス１５０と、ディスクドライブ１２０及びビデオプロセッサ１３０を制御する中央処理ユニット１１０とを有する。
【００５４】
本発明の実施例によると、電気泳動表示デバイス１５０は、装置１００を制御するタッチスクリーン機能を有する。装置１００を制御する入力手段を設けるこの解決策は、単にボタンのセットを設けるより高価である可能性があるが、装置１００のサイズを減少させる。
【００５５】
電気泳動ディスプレイ１５０に表示された本をブラウズするために、別個のソフトボタンは電気泳動ディスプレイ１５０に表示されることができ、本発明による前記装置の１つの実施例に設けられる。本発明による前記装置の他の実施例において、ユーザは、画面を２回タッピングするような専用のユーザコマンドを使用して本のページをブラウズすることを可能にされ、例えば、電気泳動ディスプレイ１５０の真ん中を１回及び右半分を１回タッピングして順方向にブラウズし、電気泳動ディスプレイ１５０の真ん中を１回及び左半分を１回タッピングして逆方向に本をブラウズする。ユーザ制御入力信号の転送のために、電気泳動ディスプレイ１５０は中央処理ユニット１１０に結合される。
【００５６】
上述の寸法は本願発明者により好まれるが、単に本発明のより一般的なアイデアの説明であり、当業者は、記載された実施例からの逸脱が本発明の範囲から外れることなく可能であると容易に理解するであろう。
【図面の簡単な説明】
【００５７】
【図１】表示デバイスの一部の概略的な断面図である。
【図２】表示デバイスの一部の等価回路図を概略的に示す。
【図３】表示デバイスの駆動信号及び内部信号を示す。
【図４】表示デバイスの駆動信号及び内部信号を示す。
【図５】データ信号の光学応答を示す。
【図６】プリセット信号及びデータ信号の光学応答を示す。
【図７】反対の極性の６つのパルスからなる２つの隣接した行に対する画素電極に対するプリセット信号を示す。
【図８】相互デジタル化櫛構造を有する対向電極の例を示す。
【図９】２つのＴＦＴを有する表示素子の等価回路を示す。
【図１０】本発明による装置の実施例を示す。
【図１】
2006519413.tif 000003
【図２】
2006519413.tif 000004
【図３】
2006519413.tif 000005
【図４】
2006519413.tif 000006
【図５】
2006519413.tif 000007
【図６】
2006519413.tif 000008
【図７】
2006519413.tif 000009
【図８】
2006519413.tif 000010
【図９】
2006519413.tif 000011
【図１０】
2006519413.tif 000012
【国際調査報告】
2006519413.tif 000013
2006519413.tif 000014
2006519413.tif 000015